(57)【要約】      （修正有）【課題】バージンタイプのストッパーを備える液体注出器の組込み過程で生じていたストッパーの薄肉部、切り込み部での引きちぎれを回避して不良部材の発生を抑制する。【解決手段】容器の口部にベースキャップと、液体を吸引、加圧するポンプ機構と、ノズル付きの押圧ヘッドとを備えた注出器において、ポンプ機構を、吸引時に開放する第１逆止弁を有し容器の口部で内側に向けて垂下されるシリンダーと、液体の吸引、加圧を行う中空ステムと、このステムの内側通路に第２逆止弁を設け、該第２逆止弁の基部に、中空ステムの露出端に当接して弁体のステムに対する位置決めを行うフランジを設け、一方の面に押圧ヘッドを嵌合保持して液体の注出経路を形成する環状体を配置し、もう一方の面に一端が薄肉部を介して該フランジにつながり他端がベースキャップの突端部分に当接して中空ステムの露出部を取り囲む押圧ヘッド押し込み防止用のストッパーを配置する。【選択図】        図１
2004322049.tif 000002
【特許請求の範囲】
【請求項１】
容器の口部に固定保持されるベースキャップと、このベースキャップに配置され容器内の液体を吸引、加圧するポンプ機構と、このポンプ機構を作動させて液体を注出するノズル付きの押圧ヘッドとを備えた注出器であって、前記ポンプ機構が、吸引時に開放する第１逆止弁を有し容器の口部でその内側に向けて垂下されるシリンダーと、このシリンダー内にて本体部分を摺動させて液体の吸引、加圧を行う中空ステムと、この中空ステムの内側通路に配置され液体の加圧時にのみ開放する弁体を有する第２逆止弁からなり、
該第２逆止弁の基部に、中空ステムの露出端に当接して弁体の中空ステムに対する位置決めを行うフランジを設け、そのフランジの一方の面に押圧ヘッドを嵌合保持して液体の注出経路を形成する環状体を配置し、もう一方の面に一端が薄肉部を介して該フランジにつながり他端がベースキャップの突端部分に当接して中空ステムの露出部を取り囲む押圧ヘッド押し込み防止用のストッパーを配置したことを特徴とする液体注出器。
【請求項２】
ストッパーはその周壁にフランジからベースキャップの突端部分に向けて伸延する少なくとも１本の切り込みとこの切り込み及び薄肉部分を起点にして該ストッパーを引きちぎる摘み部を有する請求項１記載の液体注出器。
【発明の詳細な説明】
【０００１】
【発明の属する技術分野】
本発明は、押圧ヘッドの押し込み動作を複数回にわたって繰り返すことで容器内の液体を注出するポンピングタイプの液体注出器に関するものであり、とくに、注出器の組込み過程で発生が懸念される押圧ヘッドの押し込み防止用ストッパーの引きちぎれを回避して不良品の発生を防止しようとするものである。
【０００２】
【従来の技術】
シャンプーやリンス、乳液、洗顔剤等を入れた据え置きタイプの容器では、容器を置いたまま片手による押圧操作でもって内容物が取り出せるようにポンピングタイプの注出器が装着されている。
【０００３】
そして、この種の注出器は、商品の流通段階等で誤って押圧ヘッドが押し込まれて液体が注出されないように、押圧ヘッドの下端からベースキャップの上端に至るまでの領域に押圧ヘッドの押し込みを阻止するストッパーが配置されているのが普通であり、その構造としては注出器と別部材にて構成して着脱可能としたものや、注出器のキャップ等と一体化（一体成形）を図りその取り外し後は取り付けを不可とするバーシンタイプのものが知られている（例えば、特許文献１参照）。
【０００４】
【特許文献１】
特開２００１−２３３３７３号公報
【０００５】
とりわけ、バージンタイプのストッパーはパーツ数の削減を図ることができることから、各種の用途で使用される注出器に多用される傾向があるところ、注出器の組立に際して大きな負荷が加えられた場合にストッパーが引きちぎれてしまうこともあって、部品の歩留りの低下が避けられない不具合があった。
【０００６】
【発明が解決しようとする課題】
本発明の課題は、バージンタイプのストッパーにおいて生じていた上述の如き従来の問題を解消できる新規な注出器を提案するところにある。
【０００７】
【課題を解決するための手段】
本発明は、容器の口部に固定保持されるベースキャップと、このベースキャップに配置され容器内の液体を吸引、加圧するポンプ機構と、このポンプ機構を作動させて液体を注出するノズル付きの押圧ヘッドとを備えた注出器であって、
前記ポンプ機構が、吸引時に開放する第１逆止弁を有し容器の口部でその内側に向けて垂下されるシリンダーと、このシリンダー内にて本体部分を摺動させて液体の吸引、加圧を行う中空ステムと、この中空ステムの内側通路に配置され液体の加圧時にのみ開放する弁体を有する第２逆止弁からなり、
該第２逆止弁の基部に、中空ステムの露出端に当接して弁体の中空ステムに対する位置決めを行うフランジを設け、そのフランジの一方の面に押圧ヘッドを嵌合保持して液体の注出経路を形成する環状体を配置し、もう一方の面に一端が薄肉部を介して該フランジにつながり他端がベースキャップの突端部分に当接して中空ステムの露出部を取り囲む押圧ヘッド押し込み防止用のストッパーを配置したことを特徴とする液体注出器である。
【０００８】
上記の構成になる注出器において、ストッパーはその周壁にフランジからベースキャップの突端部分に向けて伸延する少なくとも１本の切り込みとこの切り込み及び薄肉部分を起点にして該ストッパーを引きちぎる摘み部を有するものがとくに有利に適合する。
【０００９】
【発明の実施の形態】
以下、図面を参照して本発明をより具体的に説明する。
【００１０】
図１〜３は本発明に従う液体注出器の実施の形態を示したものであり、図１はその断面で示した図であり、図２は外観斜視図であり、図３は分解状態を示した図である。
【００１１】
図において１は容器の口部（図示せず）にねじ止め若しくはアンダーカットによって固定保持することができるベースキャップ、２はベースキャップ１に配置され容器内の液体を吸引、加圧するポンプ機構、３はポンプ機構２を作動させて液体を注出するノズル付きの押圧ヘッドである。
【００１２】
ポンプ機構２は液体の吸引時に開口する第１逆止弁Ｓを有し容器の口部でその内側に向けて垂下されるシリンダー２ａと、このシリンダー２ａ内にて本体部分を摺動させて液体の吸引、加圧を行う中空ステム２ｂと、この中空ステム２ｂの内側通路に配置され液体の加圧時にのみ開口する弁体を有する第２逆止弁２ｃからなる。なお、中空ステム２ｂの下方先端部位には中空ステム２ｂを上方へ向けて弾発する弾性部材の座部及びシリンダー２ａの内壁に圧接、摺動するピストンが一体に形成されている。
【００１３】
４は第２逆止弁２ｃの基部に一体的に設けられ中空ステム２ｂの露出端に当接して弁体の中空ステム２ｂに対する位置決めを行うフランジ、５はフランジ４の一方の面（図中の上面）に該フランジ４と一体的に設けられ押圧ヘッド３を嵌合保持して液体の注出経路ｒを形成する環状体、６はフランジ４のもう一方の面（図中の下面（中空ステム２ｂの露出端に当接する面））に設けられたストッパーであって、このストッパー６は一端６ａが薄肉部Ｃを介してフランジ４につながり他端６ｂがベースキャップ１の突端部に当接して中空ステム２ｂの露出部を取り囲むようになっており、押圧ヘッド３の不用意な押し込みを防止することができるようになっている。
【００１４】
また、７はストッパー６の周壁においてフランジ４からベースキャップ１の突端部分に向けて伸延する切り込み（図２参照）、そして、８はこの切り込み７及び薄肉部分Ｃを起点にして該ストッパー６を引きちぎって取り外すための摘み部である。
【００１５】
上掲図１〜３に示した構成においてストッパー６は第２逆止弁２ｃに一体的に連結するものであり、ストッパー６は第２逆止弁２ｃの一部分と見なすことができるので取り扱いが容易であり、注出器の組込みに際してストッパー６が切り込み７あるいは薄肉部Ｃから引きちぎれるおそれは非常に小さい。また、部品点数が増えることもない。
【００１６】
とくに、第２逆止弁２ｃの基部（中空ステム２ｂに嵌合する部分）の周りにストッパー６を配置した同心の２重構造とすることにより横方向からの負荷に対しストッパー６の変形が抑制されることとなり、従って、薄肉部Ｃに応力が集中することがなく、組込み段階あるいは商品の搬送過程において該薄肉部Ｃが簡単に破断することはなくなる。
【００１７】
なお、ストッパー６の取り外し後は、通常のポンピング動作により液体の注出が可能となるが、とくに図示はしないが、中空ステム２ｂの内部通路内に形成された下方に向いた凸部とシリンダー２ａの下部に配置されるポペットの先端開口部位とにそれぞれネジ部を形成して押圧ヘッド３の押し込み時に螺合シール可能な構成とすることも可能である。
【００１８】
また、ストッパー６については前述の実施例では切り込み７を摘み部８の直近に設けた場合を例として示したが、その幅及び形成位置は特段の限定はなく、たとえば切り込み（又は薄肉連結部）７を摘み部８とは反対側に形成してストッパー６の引きちぎり後の横断面形状をＣ字状とすることにより、Ｃ字状部に弾性力を付与してストッパー６の再取り付けを可能とする構成としてもよく、さらには切り込み部（又は薄肉連結部）７は縦方向に直線状に延びる構成とするのみでなく、スパイラル状に伸延させてもよい。
【００１９】
第１逆止弁Ｓは上掲図１ではシリンダー２ａ内のポペットに一体連結した片持ち支持タイプの弁として示したが、本発明は片持ち支持タイプの弁のみに限定されるものではなく、ボールタイプの弁や三点支持タイプの弁等も採用し得る。
【００２０】
【発明の効果】
本発明によれば、ストッパーを中空ステムに配置される第２逆止弁（吐出弁）に連結して一体化を図り取り扱い易くしたので注出器の組込み作業で発生が懸念されたストッパーの引きちぎれを回避することができ、部品の歩留り低下を防止しつつ注出器の効率的な製造が可能となる。
【図面の簡単な説明】
【図１】本発明に従う注出器の実施の形態を断面で示した図である。
【図２】図１に示した注出器の外観斜視図である。
【図３】図１に示した注出器の分解斜視図である。
【符号の説明】
１  ベースキャップ
２  ポンプ機構
２ａシリンダー
２ｂ中空ステム
２ｃ第２逆止弁
３  押圧ヘッド
４  フランジ
５  環状体
６  ストッパー
７  切り込み
８  摘み部
Ｓ  第１逆止弁
Ｃ  薄肉部
ｒ  注出経路
【図１】
2004322049.tif 000003
【図２】
2004322049.tif 000004
【図３】
2004322049.tif 000005